(57)【要約】      （修正有）【課題】落とした食品を容易に受け止め、さらに、収容した食品の流出を防止する幼児用ランチョンマットを提供する。【解決手段】幼児用ランチョンマット１であり、マット本体１０と収容部１２を包む。マット本体は上表面１０２とマット本体のエッジに沿って設置されたリム１００を具え、リムは上表面より突出する。収容部は背板１２２と収容板１２４を包み、背板はマット本体の前端と一体に接続され、並びに下向きに延伸する。収容板は背板の下端より前向きに延伸し、並びに背板との間に収容空間を形成する。さらに収容板の前端は凹円弧エッジ１２４０を具える。収容部は並びに二つの側板を具え、二つの側板間に収容空間があり、且つリムの二端はそれぞれこれら側板の上端に一体に接続される。【選択図】図２
0003184115.tif 000002
【実用新案登録請求の範囲】
【請求項１】
幼児用ランチョンマットにおいて、
マット本体と、
該マット本体の前端に一体に接続され、並びに下向きに延伸された背板と、
収容板であって、該背板の下端より前向きに延伸され、並びに該背板との間に収容空間を形成し、且つ前端に凹円弧エッジを具えた、上記収容板と、
を包含したことを特徴とする、幼児用ランチョンマット。
【請求項２】
請求項１記載の幼児用ランチョンマットにおいて、該マット本体が下表面を具え、該下表面に少なくとも一つの吸盤が設けられたことを特徴とする、幼児用ランチョンマット。
【請求項３】
請求項１記載の幼児用ランチョンマットにおいて、さらに二つの側板を具え、該二つの側板はそれぞれ該背板の二側より前向きに延伸され、並びに該収容板と接続されたことを特徴とする、幼児用ランチョンマット。
【請求項４】
請求項３記載の幼児用ランチョンマットにおいて、該マット本体はさらに上表面と、該マット本体のエッジに設置されたリムを包含し、該リムは該上表面より突出し、且つ該リムの二端はそれぞれ該二つの側板の上端と一体に接続されたことを特徴とする、幼児用ランチョンマット。
【請求項５】
請求項３記載の幼児用ランチョンマットにおいて、これら側板と該収容板の接続部分はそれぞれ円弧接続角を有することを特徴とする、幼児用ランチョンマット。
【請求項６】
請求項１記載の幼児用ランチョンマットにおいて、該収容板は上向きに傾斜することを特徴とする、幼児用ランチョンマット。
【請求項７】
請求項１記載の幼児用ランチョンマットにおいて、さらに少なくとも一つのリブを包含し、該リブは該収容空間に設置され、且つそれぞれ該背板と該収容板に接続されたことを特徴とする、幼児用ランチョンマット。
【請求項８】
幼児用ランチョンマットにおいて、
マット本体であって、上表面と、該マット本体のエッジに沿って設置されたリムを具え、該リムは該上表面より突出する、上記マット本体と、
収容部であって、該マット本体の前端に一体に接続され、並びに二つの側板を具え、該二つの側板間に収容空間を具え、且つ該リムの二端はそれぞれ該二つの側板の上端に一体に接続された、上記収容部と、
を包含したことを特徴とする、幼児用ランチョンマット。
【請求項９】
請求項８記載の幼児用ランチョンマットにおいて、該マット本体はさらに下表面を包含し、該下表面に少なくとも一つの吸盤が設置されたことを特徴とする、幼児用ランチョンマット。
【請求項１０】
請求項８記載の幼児用ランチョンマットにおいて、該収容部はさらに収容板を包含し、該収容板の二側はそれぞれこれら側板に接続され、且つ該収容板とこれら側板の接続部分はそれぞれ円弧接続角を包含することを特徴とする、幼児用ランチョンマット。
【請求項１１】
請求項１０記載の幼児用ランチョンマットにおいて、該収容板は上向きに傾斜することを特徴とする、幼児用ランチョンマット。
【請求項１２】
請求項８記載の幼児用ランチョンマットにおいて、さらに少なくとも一つのリブを包含し、該リブは該収容空間に設置され、且つそれぞれ該背板と該収容板に接続されたことを特徴とする、幼児用ランチョンマット。
【考案の詳細な説明】
【技術分野】
【０００１】
本考案は一種の幼児用ランチョンマットに係り、特に、こぼした食品を収容でき、且つ収容した食品が落下或いは溢出しにくい幼児用ランチョンマットに関する。
【背景技術】
【０００２】
幼児はその手部の筋肉が未発達であり、食器等の細かい物品を握持し制御する能力が比較的弱く、食事の時に不注意から食器を倒して食品をこぼしたり、食品を手中の食器からこぼしたりしやすく、食卓や付近の床を汚して、世話をする者の掃除の手間を増やす。
幼児が食事の時に食品をこぼして周辺環境を汚す問題を解決するため、市場には図１に示されるような幼児用ランチョンマット１’が出現した。それは、マット本体１０’の前端に収容部１２’が増設され、並びに該マット本体１０’の辺縁に沿って突出するリム１００’が設置され、該マット本体１０’は、テーブル２の卓上面２０に設置され、並びに該収容部１２’が該テーブル２のエッジ２２に当接させられる。
【０００３】
使用時には、該マット本体１０’上に、食品を入れたカップや皿等の食器が置かれる。該収容部１２’は、収容空間１２０’を具えて幼児がこぼした食品を収集でき、該リム１００’は、食器からこぼれた液体の溢出を防止する。該幼児用ランチョンマット１’を利用して、幼児が食事の時にこぼすか溢れ出た食品を収集し、該幼児用ランチョンマット１’範囲以外の環境を汚すのを防止し、幼児の世話をする者がわずかに該幼児用ランチョンマット１’のみをきれいにすればよく、幼児が食事した後で、落した食品を収集する手間と煩わしさを大幅に減らすことができる。
【０００４】
しかし、既存の幼児用ランチョンマット１’の構造設計には、いまだ理想的でないところがある。たとえば、該収容部１２’の前端の、幼児の身体に近い部分は、まっすぐなエッジ１２４０’とされ、幼児の身体の曲線との間に比較的大きな隙間を形成し、このため食品が簡単にこの隙間から地面に落下し、収容効果が不良である。
【０００５】
また、該リム１００’は、わずかに該マット本体１０’の辺縁に設置され、該収容部１２’部分には延伸されていないため、食器からこぼれた液体或いは該マット本体１０’に落ちた食品が、容易に該リム１００’と該収容部１２’の間の不連続部分より落下し、収容効果が下がる。
【０００６】
また、該収容部１２’の側面と前面の接続角１２５’は直角であり、幼児に傷を負わせやすい。
【０００７】
さらに該収容部１２’は横に置かれた半円柱状とされ、後部の該エッジ２２との接触面積は比較的小さく、支持力が弱く、該収容空間１２０’の開口部分を下向きに傾斜させるため、食品が該収容空間１２０’の開口より地面に落下しやすい。
【０００８】
且つ、既存の製品で、該マット本体１０’の下表面に吸盤（図示せず）が設置されたものは、往々にして該吸盤により該マット本体１０’と該卓上面２０との接触部分が不平坦となり、該マット本体１０’の上に置かれた食器が倒れやすくなる。
【考案の概要】
【考案が解決しようとする課題】
【０００９】
本考案の主要な目的は、一種の幼児用ランチョンマットを提供することにあり、それは、その収容部の幼児の身体に接近する部分には、幼児の身体曲線にマッチする凹円弧エッジを設け、幼児をマット本体に置かれた食器の食品に接近させられ、且つ食品の幼児の身体と該収容部との間に発生する隙間を通っての落下を防止できるものとする。
【００１０】
本考案の次の目的は、一種の幼児用ランチョンマットを提供することにあり、それは、そのマット本体の周縁に突出するリムが設置され、並びに該リムの二端はそれぞれ該収容部の二つの側板と一体成形され、これにより、食品或いは液体が該リムと該二つの側板との間の不連続部分より落下或いは流出するのを防止できるものとする。
【課題を解決するための手段】
【００１１】
上述の目的を達成するため、本考案は一種の幼児用ランチョンマットを提出し、それは、マット本体と収容部を包含する。該収容部は、背板と収容板を包含し、該背板は該マット本体の前端と一体に接続され、並びに下向きに延伸され、該収容板は該背板の下端より前向きに延伸され、並びに該背板との間に収容空間を形成する、且つ該収容板の前端は、凹円弧エッジを具える。該凹円弧エッジは幼児の身体曲線にマッチし、幼児を該マット本体の上に置かれた食器に、より接近させられ、幼児が食品を取りやすくし、並びに幼児と該収容部の間に隙間が発生するのを防止し、食品が隙間中より落下するのを防止する。
【００１２】
上述の目的を達成するため、本考案は一種の幼児用ランチョンマットを提出し、それは、マット本体と収容部を包含する。該マット本体は上表面と、該マット本体のエッジに沿って設けられたリムとを具え、該リムは該上表面より突出する。該収容部は並びに二つの側板を有する。該二つの側板間は、該収容空間を有し、且つ該リムの二端はそれぞれこれら側板の上端に一体に接続されている。該リムは該マット本体上にこぼれた液体或いは該マット本体に落ちた食品の、該リムと該収容部の該二つの側板間の不連続部分からの流出或いは落下を防止できる。
【００１３】
このほか、該マット本体はさらに下表面を具え、並びに該下表面に少なくとも一つの吸盤が設置され、これにより該幼児用ランチョンマットをテーブルに固定する効果が強化され、且つ該吸盤は扁平状を呈し、該吸盤の設置により該マット本体が不平坦となり該マット本体に置かれた食器が倒れやすくなるのを防止する。また、該収容板は上向きに傾斜し、これにより該収容空間の開口が上向きとされ、また、該収容空間中に少なくとも一つのリブが設けられて、支持効果が強化され、該収容空間の開口が上向きに開いた状態を維持させられ、収容した食品或いは液体がこぼれるのを防止する。さらに、これら側板と該収容板間の接続部分はそれぞれ円弧接続角を包含し、幼児が不注意からぶつかって怪我をするのを防止する。
【考案の効果】
【００１４】
周知の幼児用ランチョンマットの問題と欠点及びその構造設計上の未だ理想的でない事実を鑑み、本考案者はその解決策の研究開発に着手し、一種の幼児用ランチョンマットを提供する。その特徴は、その収容部が包含する収容板が幼児の身体曲線にマッチする凹円弧エッジを有し、これにより幼児が該マット本体に、より接近でき、且つ食品の幼児身体と該収容部との間に出現する隙間を通っての落下を防止でき、このほか、本考案のマット本体のエッジに設置されるリムは、該収容部両側が具える二つの側板上端縁と一体に接続され、周知の幼児用ランチョンマット中の、該リムと該収容部との間にある不連続部分により、液体或いは食品が該不連続部分より落下或いは溢出しやすい欠点を改善する。
【００１５】
また、本考案の該二つの側板と該収容板の接続部分に、円弧接続角が設けられ、幼児が負傷するのを防止する。また、該収容部は背板を包含し、該背板がテーブルのエッジと比較的大きな接触面積を有し、且つ該収容部に少なくとも一つのリブが設置され、該収容部の強度と支持力を強化し、これにより、該収容部の収容空間の開口を上向きとし、且つ食品を該開口より落下しにくくする。さらに、本考案は比較的扁平な吸盤を使用し、該マット本体に比較的平坦に該卓上面を被覆させ、その上に置かれる食器を倒れにくくする。
【図面の簡単な説明】
【００１６】
【図１】周知の技術の外観図である。
【図２】本考案の第１実施例の外観図である。
【図３Ａ】本考案の第１実施例の平面図である。
【図３Ｂ】本考案の第１実施例の底面図である。
【考案を実施するための形態】
【００１７】
本考案の技術内容、構造特徴、達成する目的を詳細に説明するため、以下に実施例を挙げ並びに図面を組み合わせて説明する。
【００１８】
本考案の幼児用ランチョンマットの主要な特色は、収容部の前端に凹円弧エッジが設けられて、該凹円弧エッジが幼児の身体の曲線にマッチするものとされ、幼児が食器に接近して食品をとることができ、且つ食品が収容部前端と幼児との間の隙間から落ちるのを防止することと、マット本体上にリムが設けられ、該リムが該収容部の二つの側板上端と一体に接続され、これにより食品或いは液体が不連続部分から落ちる、或いは流出するのを防止し、これにより幼児用ランチョンマットの収容効果をアップすることにある。
【００１９】
図２及び図３Ａ、図３Ｂを参照されたい。それは本考案の第１実施例の外観図及び平面図（Ａ）及び底面図（Ｂ）である。図示されるように、本考案は幼児用ランチョンマット１を提供し、該幼児用ランチョンマット１は、マット本体１０と収容部１２を包含する。該マット本体１０は上表面１０２、下表面１０４、該マット本体１０のエッジに沿って設置されたリム１００及び該下表面１０４に設置された少なくとも一つの吸盤１０６を包含し、且つ該リム１００は該上表面１０２より突出する。
【００２０】
該収容部１２は背板１２２、収容板１２４、二つの側板１２６及び少なくとも一つのリブ１２３を包含する。該背板１２２と該マット本体１０の前端は一体に接続され、並びに下向きに延伸され、該収容板１２４は該背板１２２の下端より前向き並びに上向きに延伸され、並びに該背板１２２との間に収容空間１２０を形成する。且つ該収容板１２４の前端は凹円弧エッジ１２４０を具え、該二つの側板１２６はそれぞれ該収容空間１２０の二側に位置し、並びにそれぞれ該背板１２２及び該収容板１２４に接続されている。該二つの側板１２６と該収容板１２４の接続部分はそれぞれ円弧接続角１２５とされ、且つ該二つの側板１２６の上端はそれぞれ該リム１００と一体に接続されている。該リブ１２３は該収容空間１２０に設置され、並びに該背板１２２及び該収容板１２４に接続されている。
【００２１】
該幼児用ランチョンマット１はテーブル２において使用でき、該テーブル２は卓上面２０と少なくとも一つのエッジ２２を包含し、該マット本体１０は該卓上面２０に置かれ、該収容部１２は該エッジ２２に当接する。
【００２２】
該マット本体１０は、食器及び食品を載せるのに用いられ、該リム１００は固体或いは液体の食品及び食品の屑が該マット本体１０の縁から落ちる或いは溢れ出るのを防止し、且つ該リム１００と該収容部１２の該二つの側板１２６は一体に接続され、固体或いは液体の食品及び食品の屑が該リム１００と該収容部１２の間の不連続部分より落下或いは溢れ出るのを防止する。該吸盤１０６は該マット本体１０の該卓上面２０における固定力を強化する。
【００２３】
該収容部１２は幼児が食事する時に落とす或いはこぼした食品及び食品の屑を収容するのに用いられ、該背板１２２は該エッジ２２に当接し、該収容部１２全体に支持力を提供し、該背板１２２と該エッジ２２の接触面積は大きいく、これにより該収容部１２は周知のものよりも安定し、該収容板１２４が幼児が食事するときに落した固体或いは液体の食品或いは食品の屑を受け止め、並びに食品及び食品の屑を該収容空間１２０に収容する。
【００２４】
該凹円弧エッジ１２４０は幼児の身体曲線にマッチし、これにより幼児は比較的がマット本体１０に接近することができ、幼児が該マット本体１０上の食器を使用し並びに食品をとるのに便利であり、該凹円弧エッジ１２４０は幼児身体と該収容部１２との間に発生する隙間を縮小でき、食品及び食品の屑が隙間より落下する機会を減らす。
【００２５】
該二つの側板１２６は食品及び食品の屑が該収容部１２の側面より落下或いは溢出するのを防止し、該円弧接続角１２５は幼児が使用時に衝突して傷つくのを防止し、該リブ１２３は該収容部１２内部の支持力を強化し、これにより、該収容部１２に該収容空間１２０の開口が上向きの状態を維持させ、食品及び食品の屑が該収容空間１２０の開口より落下或いは溢出するのを防止する。
【００２６】
総合すると、本考案は一種の幼児用ランチョンマットであり、それはマット本体と収容部を包含し、並びに該収容部前端にある凹円弧エッジを利用して幼児の身体曲線にマッチするものとされ、幼児が該マット本体上に置かれた食器と食品を使用するのに便利であり、並びに食品の落下の機会を減らし、且つ、該マット本体周縁に設けられると共に該収容部の二つの側板の上端に延伸されたリムにより、該マット本体に落下或いは溢出した固体或いは液体の食品及び食品の屑が、該マット本体の辺縁或いは該マット本体と該収容部の接続部分より落下或いは流出しないものとされる。このほか、該マット本体の下表面に扁平な吸盤が設置されて該マット本体の平坦度がアップされる。さらに該収容部の背板とテーブルの接触面積が増加されて、該収容部の構造安定性がアップされる。並びに収容部の二つの側板と収容板との間に円弧接続角が設けられて幼児の怪我が防止される。
【００２７】
本考案の実施により、周知の技術中の幼児用ランチョンマットの欠点が改善され、一種の、食品の収容効果が良好で、構造がさらに密着安定し、幼児の使用により適合する幼児用ランチョンマットが提供される。
【００２８】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【００２９】
本考案は新規性、進歩性及び産業上の利用価値を有する考案であり、実用新案登録の要件を具えているものです。
【符号の説明】
【００３０】
１’  幼児用ランチョンマット
１０’  マット本体
１００’  リム
１２’  収容部
１２４０’  エッジ
１２５’  接続角
１  幼児用ランチョンマット
１０  マット本体
１００  リム
１０２  上表面
１０４  下表面
１０６  吸盤
１２  収容部
１２２  背板
１２３  リブ
１２４  収容板
１２４０  凹円弧エッジ
１２５  円弧接続角
１２６  側板
２  テーブル
２０  卓上面
２２  エッジ
【図１】
0003184115.tif 000003
【図２】
0003184115.tif 000004
【図３Ａ】
0003184115.tif 000005
【図３Ｂ】
0003184115.tif 000006